(57)【要約】  物品の昇降装置は、チューブと、該チューブに連結され、該チューブを回転させるためのモータと、互いに離隔されて前記チューブと前記物品とに固定された複数のケーブルと、前記複数のケーブルを前記チューブに互いに相関するように均一に巻きつけるために、前記複数のケーブルが前記チューブ上に巻付けられた場合に、前記複数のケーブルを前記チューブに沿ってインデックス送りするための、前記チューブと同調して連結されたケーブルインデックサーと、を含んでいる。
2008524092.tif 000002
【特許請求の範囲】
【請求項１】
物品を上昇および下降させるための装置であって、
ａ．チューブと；
ｂ．該チューブに連結され、該チューブを回転させるためのモータと；
ｃ．互いに離隔されて前記チューブと前記物品とに固定された複数のケーブルと；
ｄ．前記複数のケーブルを前記チューブに互いに均一に巻きつけるために、前記複数のケーブルが前記チューブ上に巻付けられた場合に、前記複数のケーブルを前記チューブに沿ってインデックス送りするための、前記チューブと同調して連結されたケーブルインデックサーと、
を含んでいることを特徴とする昇降装置。
【請求項２】
前記ケーブルインデックサーは、前記複数のケーブルのそれぞれのための開口部を備えた移動体を含み、
前記複数のケーブルのそれぞれは、個々に１つの前記開口部を通って伸びており、
前記チューブが回転した場合に、該チューブが回転して該チューブに沿った縦方向に複数のケーブルのそれぞれを移動させるときに、前記移動体は、前記チューブの長手軸に平行な所定の軸に沿って移動するために、前記チューブに関して離隔するように組みつけられていることを特徴とする、請求項１に記載の昇降装置。
【請求項３】
前記チューブに関して離隔して組みつけられて、前記チューブが回転した場合に、前記チューブと同調して回転するために前記チューブに同調して連結されたリードねじを含み、前記移動体は、前記リードねじが螺合されて受容されているねじ部材を含んでいることを特徴とする、請求項２に記載の昇降装置。
【請求項４】
前記ケーブルインデックサーは、複数のケーブルのそれぞれのための移動体を含んでいることを特徴とする、請求項３に記載の昇降装置。
【請求項５】
表面に歯を備えて前記チューブに取り付けられた駆動ホイールと、
表面に歯を備えて前記リードねじに取り付けられた従動ホイールと、
内側面に歯を備えて前記駆動ホイール及び前記従動ホイール上で牽引されるベルトとを含み、
前記駆動ホイールと前記従動ホイールと前記ベルトとは、前記リードねじを前記チューブに同調して連結していることを特徴とする、請求項３に記載の昇降装置。
【請求項６】
前記ケーブルが巻かれた前記チューブと、前記モータと、前記インデックサーとが内部に配置されたハウジングを含んでいることを特徴とする、請求項１に記載の昇降装置。
【請求項７】
前記モータは管状モータであり、該管状モータから伸びて前記ケーブルが巻かれている前記チューブ内に受容されるチューブを備えていることを特徴とする、請求項１に記載の昇降装置。
【請求項８】
前記モータに連結された遠隔制御受信部を含み、遠隔制御送信部から受信した信号に応答して前記モータの操作を制御していることを特徴とする、請求項１に記載の昇降装置。
【請求項９】
前記モータに連結されたプログラマブル機器を含み、プログラムに応答して前記モータの操作を制御していることを特徴とする、請求項１に記載の昇降装置。
【請求項１０】
前記移動体は、前記ケーブルがチューブに巻付けられる場合に、前記チューブ上で一層の前記ケーブルを巻付けるために、前記チューブに沿って第１の方向に移動し、前記チューブから前記ケーブルを巻出す場合に、前記第１の方向とは反対の第２の方向に移動することを特徴とする、請求項２に記載の昇降装置。
【請求項１１】
ａ．内部にチューブが回転自在に組付けられたハウジングと；
ｂ．前記チューブを回転させるために前記チューブに連結されたモータと、；
ｃ．互いに離隔されて前記チューブと前記物品とに固定された複数のケーブルと；
ｄ．前記ハウジング内に組付けられ、
前記複数のケーブルが前記チューブに互いに均一に巻きつけられるように前記複数のケーブルが前記チューブ上に巻付けられた場合に、前記複数のケーブルを前記チューブに沿ってインデックス送りするための、前記チューブと同調して連結されたケーブルインデックサーであって、
前記ケーブルインデックサーは、前記ハウジングの底壁に沿って組付けられたリードねじを含み、前記リードねじは前記チューブと互いに離隔しかつ前記チューブに同調するように連結され、
前記ケーブルインデックサーはさらに、それぞれのケーブルのための移動体を含み、該それぞれの移動体は前記リードねじが螺合されて受容されるねじ部材と複数のケーブルのうちの１つが貫通する開口部と、を含むケーブルインデックサーと、
を備えた物品を昇降するための装置において、
前記チューブの回転は、前記リードねじを同調して回転させて前記移動体をハウジングに沿って縦方向に移動させ、前記ケーブルが前記チューブ上に巻取られるときに、前記ケーブルを前記チューブに沿って縦方向に移動させていることを特徴とする昇降装置。
【請求項１２】
表面に歯を備えて前記チューブに取り付けられた駆動ホイールと、
表面に歯を備えて前記リードねじに取り付けられた従動ホイールと、
内側面に歯を備えて前記駆動ホイール及び前記従動ホイール上で牽引されるベルトとを含み、
前記駆動ホイールと前記従動ホイールと前記ベルトとは、前記リードねじを前記チューブに同調して連結していることを特徴とする、請求項１１に記載の昇降装置。
【請求項１３】
前記モータは管状モータであり、該管状モータから伸びて前記ケーブルが巻かれている前記チューブ内に受容されるチューブを備えていることを特徴とする、請求項１１に記載の昇降装置。
【請求項１４】
前記移動体は、前記ケーブルがチューブに巻付けられる場合に、前記チューブ上で一層の前記ケーブルを巻付けるために、前記チューブに沿って第１の方向に移動し、前記チューブから前記ケーブルを巻出す場合に、前記第１の方向とは反対の第２の方向に移動することを特徴とする、請求項１１に記載の昇降装置。
【発明の詳細な説明】
【技術分野】
【０００１】
本発明は、垂れ幕のような表示物に関するものであり、その垂れ幕はショッピングモールの天井のような高い場所から吊り下げられている。より詳しくは、表示装置を昇降させるためのものである。
【背景技術】
【０００２】
垂れ幕、ポスターまたは他の形式の表示物は、文字および／または図形の表示に使用される。それらは様々な異なった場所および位置に吊り下げられる。活用の１つの形式において、表示物はショッピングモールまたは他の大型施設の天井のような高い位置から吊り下げられる。活用において、表示物は一般的にはしご、移動クレーンまたは他のリフト形式のものを使用して吊下げられ、それらは表示物を上昇させるために使用されて、天井の横梁のような、施設の要素に取り付けられる高さに合わせる。表示物が変更される場合、同じ工程が利用される。すなわち、はしご、移動式クレーンまたは他のリフト形式のものが使用されて、吊り下げられた表示物に接近し、表示物を移動させて、新しい表示物に置き換えて取り付ける。
【発明の開示】
【課題を解決するための手段】
【０００３】
本発明による物品の昇降装置は、チューブと、該チューブに連結され、該チューブを回転させるためのモータと、互いに離隔されて前記チューブと前記物品とに固定された複数のケーブルと、前記複数のケーブルを前記チューブに互いに相関するように均一に巻きつけるために、前記複数のケーブルが前記チューブ上に巻付けられた場合に、前記複数のケーブルを前記チューブに沿ってインデックス送りする（index）ための、前記チューブと同調して連結されたケーブルインデックサー（cable indexer）と、を含んでいる。本発明の形態において、前記ケーブルインデックサーは、前記複数のケーブルそれぞれのための開口部を備えた移動体（traveler）を含んでいる。前記チューブが回転した場合に、該チューブが回転して該チューブに沿った縦方向に複数のケーブルのそれぞれを移動させるときに、前記移動体は、前記チューブの長手軸に平行な所定の軸に沿って移動するために、前記チューブに関して離隔するように組みつけられている。
【０００４】
本発明の形態において、前記ケーブルインデックサーは、前記チューブに関して離隔して組みつけられて、前記チューブが回転した場合に、前記チューブと同調して回転するために前記チューブに同調して連結されたリードねじを含んでいる。前記移動体は、前記リードねじが螺合されて受容されているねじ部材を含んでいる。
【０００５】
発明の形態において、前記ケーブルインデックサーは、複数のケーブルのそれぞれのための移動体を含んでいる。
【０００６】
本発明の形態において、表面に歯を備えた駆動ホイールは前記チューブに取り付けられ、表面に歯を備えた従動ホイールは前記リードねじに取り付けられ、内側面に歯を備えたベルトは前記駆動ホイールと前記従動ホイールとを同調させている。前記駆動ホイールと前記従動ホイールと前記ベルトとは、前記リードねじを前記チューブに同調して連結している。
【０００７】
本発明の形態において、前記モータは管状モータであり、該管状モータから伸びて前記ケーブルが巻かれている前記チューブ内に受容されるチューブを備えている。
【０００８】
本発明の形態において、前記モータは遠隔制御受信部に連結され、遠隔制御送信部から受信した信号に応答して前記モータを制御している。
【０００９】
本発明の形態において、前記昇降装置は前記モータに連結されたプログラマブル機器を含み、プログラムに応答して前記モータの操作を制御している。
【００１０】
本発明の応用性のさらなる範囲が、これ以降に提供された詳細な記述から明らかにされるであろう。詳細な説明および具体例、さらに好適な実施形態を示すことは、図示の目的を対象としているが、本発明の範囲を限定する目的ではないということが理解されるであろう。
【００１１】
本発明は、詳細な記述と添付図とからより完全に理解されるであろう。
【発明を実施するための最良の形態】
【００１２】
後述する好適な実施形態は、単なる例示にすぎず、発明を限定するものではなく、応用例または使用例である。
【００１３】
図１に戻ると、表示装置１０２を昇降させるための装置１００が示されている。表示物１０２は、任意の型の物品であってもよく、垂れ幕のように表示のために吊り下げられている。図１および図２を参照すると、昇降装置１００はハウジング１０４を含んでおり、図解しているように、縦方向に伸びた通路が矩形断面とチューブ１０６とを有している。昇降装置１０６は、組み付けブラケット１１０を含んでいてもよく、そのブラケットは、ショッピングモールのような施設（図示略）の天井のロッドまたは梁のような構造物の要素１１２に昇降装置を組み付ける。昇降装置１００は、組み付けブラケット１１０以外の他の方法において、要素１１２に取り付けられることが可能であることが理解されるであろう。
【００１４】
昇降装置１００は、１つ以上の弦またはケーブル１１４（ここではケーブル１１４としてまとめて参照されるであろう）をさらに含んでおり、そのケーブルは、一端１１６がチューブ１０６に固定されている（図８）。表示物１０２の上端１０３は、ケーブル１１４の他端１１８に固定されている（図２）。図示された昇降装置１００の実施形態において、昇降装置１００は、互いに離隔されてチューブ１０６に固定された２つの長さのケーブル１１４を含んでいる。図示しているように、２つの長さのケーブル１１４は、好ましくは互いに距離をとって配置されているのがよく、その距離は表示装置１０２の幅と等しくまたは若干狭くなっているのがよい。しかしながら、昇降装置１００は、他の２以上の長さのケーブル１１４を有することも可能であるということが理解されるであろう。２以上の長さのケーブルが使用される場所では、その長さケーブル１１４は、図示しているように、表示装置の幅以内で互いから等距離に配置されてもよい。ここで使用されているものとして、表示装置１０２の幅は、ケーブル１１４が取り付けられる表示装置１０２の上端の幅である。
【００１５】
特に図４を参照すると、昇降装置１００は、チューブ１０６が連結されたモータ１２０も含んでいる。モータ１２０は、図示しているように、ハウジング１０４内でハウジング１０４の第１端部１２２（図２）において、ねじ１２６のようなものと共に取付ブラケット１２４に取り付けられることによって組付けられている。モータ１２０は、図示しているように、管状モータであってもよい。47 Commerce Drive, Cranbury, NJ 08512にあるＳＯＭＦＹシステムズから入手可能な、ＳＯＭＦＹ  ＬＴチューブモータのようなものであってもよい。このＬＴチューブモータを使用した場合、モータ１２０は、チューブ１２１が取り付けられたモータ１２３を含み、チューブ１０６の第１端部１３０にはめ込まれており、かつチューブ１０６はねじ、リベット、接着剤、溶接または（ここに示されていない）そのような従来型の方法で固定されている。端板１３２はハウジング１０４の第１端部１２２に、ねじ１３４のようなもので貼り付けられている。
【００１６】
特に図３を参照すると、昇降装置１００は、第２取付ブラケット１３６をさらに含んでおり、そのブラケットは、ハウジング１０４の第２端部１３８（図２）においてねじ１４０のようなものと共にハウジング内で組付けられている。端板１４２はハウジング１０４の第２端部１４８に、ねじ１４４のようなもので貼り付けられている。チューブ１０６は駆動軸１４６を含み、その駆動軸は、チューブ１０６の第２端部１４８から、第２取付ブラケット１３６の穴１４９を通って伸びている。この点において、チューブ１０６は、第２端部１４８に貼り付けられて駆動軸１４６が取付けられたエンドキャップ１５０を含んでいてもよく、その駆動軸は、エンドキャップ１５０の長方形穴に受容されてかつ固定されている。この図示された実施形態において、駆動軸１４６の第１端部１５４は、長方形で穴１５２に受容されており、駆動軸１４６の第２端部１５６は、貫通穴１４９を通って取付けブラケット１３６に伸びており、円筒形状である。軸受け１５８は、穴１４９内に受容されていてもよく、駆動軸１４６の第２端部１５６は、軸受け１５８に同調されている。駆動軸１４６の第２端部１５６は、ねじ１６２のようなもので駆動軸に固定された駆動ホイール１６０を備えている。
【００１７】
昇降装置１００は、ケーブルインデックサー１６４をさらに含み（図２）、そのインデックサーは、リードねじ１６６と移動体１６８とを含んでいる。ここで使用される移動体は、チューブ１０６の長手軸と平行な軸に沿ったハウジング１０４に沿って移動する要素である。リードねじ１６６は、支持軸受け１７０に回転のために軸を通されており、その支持軸受けは、ハウジング１０４の底壁に沿って配置されている。昇降装置１００は、図示しているように、表示物１０２に取付けられたそれぞれのケーブル１１４のための移動体１６８を備えている。しかしながら、移動ケーブルインデックサー１６４は、複数のケーブル１１４とともに作用する１つの移動体１６８を備えることができるということが、理解されるであろう。
【００１８】
それぞれの移動体１６８は、ハウジング１０４の底壁１７２に沿った移動に同調している。図示しているように、移動体１６８は、平坦な長方形板を含んでいる。他のブロック構造が、移動体１６８として利用可能であることが理解されるであろう。ハウジング１０４は、対向する軌道１７６を含んでいてもよく（図３）、そこで移動体１６８は同調する。それぞれの移動体１６８は、開口部１７８をさらに含み、そこでその移動体の一方を個別のケーブル１１４が貫通し、ねじ部材１８０は、ナットのようなものであるが、リードねじ１６６がねじこまれて受容されている。開口部１７８は移動体を貫通する穴として示される一方で、移動体１７８は、開口部１７８を定義するまたはその中で開口部１７８が形成される対向する指のような、貼り付け要素を含婿とが可能であることが理解されるであろう。それぞれの移動体１６８は、ハウジング１０４の底壁１７２において、開口部１７８がスロット１８１上に配置されるようにハウジング１０４内で配置されている。
【００１９】
リードねじ１６６は従動ホイール１８２を備え、従動ホイールは、駆動軸の第２端部に固定された駆動ホイールの真下の端部１８３に固定されている。ベルト１８４は、ホイール１６０と１８２とを同調させている。実施形態中において、ホイール１６０と１８２とは、外周に歯１８６（図３）を備えており、ベルト１８４は、ホイール１６０と１８２との歯１８６にかみ合うために、内側面１９０の周囲に配置された対応する歯を備えている。他の配置が、駆動軸１４６とリードねじ１６６とを連結するために使用可能であり、それは、ギアとチェーン、ギアトレイン、または同様のものでもよいということが理解されるであろう。この点について、リードねじ１６６は、チューブ１０６に同調して連結されており、後述のようにチューブ１０６が回転してリードねじ１６６を駆動させた場合に、チューブ１０６とリードねじ１６６との間にはすべりがない。図示された実施形態において、この同調は、歯付きホイール１６０、１８２および歯付きベルト１８４を用いて駆動軸１４６をリードねじ１６６に機械的に連結することによって達成されている。チューブ１０６とリードねじ１６６とは、他の方法においても同調可能であることが理解されるであろう。例示した手段で、それに限定するわけではないが、ステップモータが、チューブ１０６とリードねじ１６６との両方を駆動するために使用可能であり、ステップモータは電気的に同調している。
【００２０】
操作において、昇降装置１００は、チューブ１０６上のケーブル１１４を巻取り、および巻出しすることによって、表示物１０２を昇降させる。モータ１２０は、チューブ１０６を適切な方向に回転して、チューブ１０６上のケーブル１１４を巻取り、および巻出しする。チューブ１０６が回転した場合に、駆動軸１４６は、ホイール１６０、１８２およびベルト１８４を介したリードねじ１６６を駆動し、リードねじ１６６が回転する。ケーブルインデックサー１６４の移動体１６８のねじ部材１８０内のリードねじ１６６の回転は、移動体１６８をハウジング１０４の底壁１７２に沿って縦方向につまりチューブ１０６に沿って縦方向に移動させる。ケーブル１１４がハウジング１０４の底壁１７２にスロット１８１を通ってかつケーブルインデックサー１６４の移動体１６８の開口部１７８を通って伸びるときに、それぞれのケーブル１１４は、チューブ１０６に沿って縦方向に移動し、チューブ１０６に巻き取られる。図８に示すように、このことは、移動体が仮想線で示された位置と実線で示された位置と野間を移動することによって、チューブ１０６上にケーブル１１４を均一に巻き取っている。従って、それぞれのケーブル１１４は、互いのケーブル１１４に関してチューブ１０６上に均一に巻き取られ、同じ長さのそれぞれのケーブル１１４がチューブ１０６上に巻き取られる。図示している好適な実施形態において、それぞれのケーブル１１４はチューブ１０６上に巻き取られ、表示装置が完全に上昇した位置にある場合に、チューブ１０６上にそれぞれのケーブル１１４のただ１つの層がある。しかしながら、ケーブルインデックサー１６４は、チューブ１０６が一方向に回転した場合に、ケーブル１１４を前後に交互に動かすように形成することが可能であり、その場合、それぞれのケーブル１１４は、チューブ１０６上に巻き取られる場合に、ケーブル１１４上に巻き取られはするが、ケーブル１１４が互いに均一にチューブ１０６上に巻き取られるように、一様な層状となっている。上記の一定の方法におけるケーブルインデックサー１６４を用いてチューブ１０６に沿ってケーブル１１４を巻取ることによって、表示装置１０２は、上昇位置に到達するときに、水平に上昇される。すなわち、表示装置１０２の両側は、（昇降装置１００が水平に組付けられていると仮定すると）同じ高さになる。
【００２１】
モータ１２０は、図示したように、任意の従来型の動力源を装備していてもよい。交流電源、バッテリーまたはソーラーパネルのようなものである。モータ１２０は、図示したように、従来型の機械的スイッチ１９８（図９）によって停止されてもよく、動力線１９１がモータ１２０を動力源に接続するために配置されていてもよい。昇降装置１００は、代替的にまたは付加的にモータ１２０に連結された遠隔操作受信部１９２（図９）を含んでいてもよい。従って、使用者は送信部１９２に相当するものを使用して、遠隔操作受信部がモータ１２０にエネルギー供給および供給停止をさせるように通信し、ケーブル１１４を適切な方向に巻取りおよび巻出しして、表示物１０２を昇降させる。昇降装置１００は、マイクロコンピュータのようなプログラマブルコントロール機器１９６を含んでいてもよく（図１１）、そのコントロール機器は、プログラムしてモータ１２０を制御し、前もって設定したプログラムを利用して、表示装置１０２を半自動的に所望の高さに昇降させる。
【００２２】
本発明の記載は単なる例示であり、従って、本発明の主旨から逸脱しない変化は、本発明の範囲に含まれる。そのような変化は、本発明の精神および範囲から逸脱しているとみなさない。
【図面の簡単な説明】
【００２３】
【図１】本発明による表示物を昇降させるための装置の斜視図である。
【図２】図１の線２−２に沿って分解した図１の装置の部分断面を示した側面透視図である。
【図３】図１の装置の第１端部の部分分解図である。
【図４】図１の装置の第２端部の部分分解図である。
【図５】図１の装置の上面透視図である。
【図６】図５の線６−６に沿った断面図である。
【図７】図５の線７−７に沿った断面図である。
【図８】図１の装置の別の上面透視図である。
【図９】図１の装置のモータを制御しているスイッチの概略図である。
【図１０】遠隔制御送信部からの指令に応答して図１の装置のモータを制御している遠隔制御受信部の概略図である。
【図１１】図１の装置のモータを制御しているプログラマブル機器の概略図である。
【符号の説明】
【００２４】
１００  昇降装置
１０２  表示物
１０４  ハウジング
１０６  チューブ
１１０  組付けブラケット
１１４  ケーブル
１２０  モータ
１４６  駆動軸
１５８  軸受け
１６０  駆動ホイール
１６４  ケーブルインデックサー
１６６  リードねじ
１６８  移動体
１７６  軌道
１７８  開口部
１８０  ねじ部材
１８１  スロット
１８２  従動ホイール
１８４  ベルト
１９２  遠隔操作受信部
１９８  機械的スイッチ
【図１】
2008524092.tif 000003
【図２】
2008524092.tif 000004
【図３】
2008524092.tif 000005
【図４】
2008524092.tif 000006
【図５】
2008524092.tif 000007
【図６】
2008524092.tif 000008
【図７】
2008524092.tif 000009
【図８】
2008524092.tif 000010
【図９】
2008524092.tif 000011
【図１０】
2008524092.tif 000012
【図１１】
2008524092.tif 000013
【国際調査報告】
2008524092.tif 000014
2008524092.tif 000015